(57)【特許請求の範囲】
【請求項１】
下端開口部の周縁に外向フランジを有する有底筒状の器具本体と、一端側が該器具本体の外周面の下部に固定され他端側が上方に延出する板バネからなる取付金具とを備え、該取付金具と前記外向フランジとにより天井に設けられた開口穴の縁部を挟持して前記器具本体を天井に設置する埋込型照明器具において、
前記取付金具における上方に延出する途中を前記器具本体側へ折曲して該器具本体エリア内まで延出させて形成した折曲片部と、
前記器具本体底部に前記折曲片部に対向して取り付けられた回動可能な板体と、
該板体の前記折曲片部に対向する面に設けられ、前記折曲片部の端部に当接して該折曲片部を外方へ押し出すカムと、
該カムによって押し出された前記折曲片部を所定の位置に保持する保持手段とを備えたことを特徴とする埋込型照明器具。
【請求項２】
前記保持手段を、前記折曲片部の上面に所定の間隔を離して設けられた複数の突起と、前記器具本体の外周面上部に設けられ前記折曲片部が挿通される開口部とから構成し、
前記突起を前記開口部の上縁部に係止させることによって前記カムによって押し出された前記折曲片部を所定の位置に保持するようにしたことを特徴とする請求項１記載の埋込型照明器具。
【請求項３】
前記板体の前記折曲片部に対向する面に設けられ、該折曲片部と前記器具本体の底面との隙間に挿入可能な楔状の突起を備えたことを特徴とする請求項２記載の埋込型照明器具。
【発明の詳細な説明】
【０００１】
【発明の属する技術分野】
本発明は、照明器具本体を天井に設けた取付開口穴に埋め込んで取付ける埋込型照明器具に関するものである。
【０００２】
【従来の技術】
図６は、従来の埋込型照明器具の取付け状態を説明する説明図である。図において、３１は埋込型照明器具が取り付けられる天井面を構成する天井板、３１ａは天井板の上面、３１ｂは天井板の下面、３２は天井板３１に形成された取付開口部である。２１は従来の埋込型照明器具の器具本体、２２は器具本体２１の下端周縁に設けられた外向フランジ、２３は器具本体１を取付開口部３２に取り付けるための板バネで形成された取付金具である。取付金具２３は板バネを折り曲げて釣針状に形成したものであり、短片部２３ａの上端が器具本体１の側壁にネジで固定され、長片部２３ｂの上端は自由端になっている。そして、長片部２３ｂの外側面が取付開口部３２の周縁に弾性接触する構造である。
【０００３】
取付開口部３２へ器具本体２１を挿入する際は、取付金具２３の長片部２３ｂを取付開口部３２の穴径まで狭め、この状態で器具本体２１を取付開口部３２の直下に配置してそのまま持ち上げて挿入する。器具本体２１のフランジ２２が天井板の下面３１ｂに当接するまで押し込むと、板バネが開く力により取付金具２３の長片部２３ｂが取付開口部３２の縁部を押圧し、その結果長片部２３ｂとフランジ２２とによって天井板３１を弾性挟持し、これによって器具本体１が取り付けられることになる。なお、天井板３１の厚みが変わるとフランジ２の天井板の下面３１ｂへの密着力が変化するが、この場合には取付金具２５のバネ弾性や曲げ形状を変えることによって調整することができる。
【０００４】
【発明が解決しようとする課題】
従来の埋込型照明器具では、先端部が自由端である長片部２３ｂのバネ弾性だけで取付開口部３２の縁部を押圧して、器具本体２１を天井に固定しようとしている。
しかし、バネ弾性のみによる押圧では押圧力が不十分であるため、天井面の振動等により器具本体２１がずり落ち天井下面３１ｂとフランジとの間に隙間が生ずる場合があった。
【０００５】
また、同一の取付金具で種々の厚みの天井に適用することは困難であった。なぜならば、例えば天井板３１が薄い天井場合には、長片部２３ｂの下部で取付開口部３２の縁部を押圧することになるため、長片部２３ｂが短片部２３ａと成す角度を大きくする必要があるが、この場合にはバネの開きが限度付近になるので長片部２３ｂの押圧力が不十分になり、天井板の下面３１ｂとフランジ２の密着力が小さくなるため、フランジ２２と天井下面３１ｂとの間に隙間が発生する場合が生ずるからである。逆に、天井板３１が厚い天井の場合には、長片部２３ｂの上部で取付開口部３２の縁部を押圧することになるため、長片部２３ｂが短片部２３ａと成す角度を小さくする必要があるが、この場合にはバネの開きが不十分になるので長片部２３ｂが取付開口部３２の縁部を押圧する押圧力が小さくなり、天井板が薄い場合と同様にフランジ２２と天井板の下面３１ｂとの間に隙間が発生することがある。
【０００６】
さらに、器具本体２１を取付開口部３２へ挿入する際には、取付金具２３の長片部２３ｂを器具本体２１側へ寄せた状態を保持しながら、器具本体２１を取付開口部３２へ挿入しなければならず、作業性が悪いという問題点もあった。
【０００７】
本発明はかかる課題を解決するためになされたものであり、天井への保持力を常に維持できると共に種々の厚みの天井板にも対応することができ、さらに取付作業性に優れた埋込型照明器具を得ることを目的としている。
【０００８】
【課題を解決するための手段】
本発明に係る埋込型照明器具は、下端開口部の周縁に外向フランジを有する有底筒状の器具本体と、一端側が該器具本体の外周面の下部に固定され他端側が上方に延出する板バネからなる取付金具とを備え、該取付金具と前記外向フランジとにより天井に設けられた開口穴の縁部を挟持して前記器具本体を天井に設置する埋込型照明器具において、
前記取付金具における上方に延出する途中を前記器具本体側へ折曲して該器具本体エリア内まで延出させて形成した折曲片部と、前記器具本体底部に前記折曲片部に対向して取り付けられた回動可能な板体と、該板体の前記折曲片部に対向する面に設けられ、前記折曲片部の端部に当接して該折曲片部を外方へ押し出すカムと、該カムによって押し出された前記折曲片部を所定の位置に保持する保持手段とを備えたものである。
【０００９】
また、前記保持手段を、前記折曲片部の上面に所定の間隔を離して設けられた複数の突起と、前記器具本体の外周面上部に設けられ前記折曲片部が挿通される開口部とから構成し、
前記突起を前記開口部の上縁部に係止させることによって前記カムによって押し出された前記折曲片部を所定の位置に保持するようにしたものである。
【００１０】
さらに、前記板体の前記折曲片部に対向する面に設けられ、該折曲片部と前記器具本体の底面との隙間に挿入可能な楔状の突起を備えたものである。
【００１１】
【発明の実施の形態】
図１は本発明の一実施形態である埋込式照明器具の分解斜視図である。図において、１は下端に開口部を有する有底円筒状の器具本体、２は器具本体１の下端外周縁部に設けられた外向フランジである。３は器具本体１の側壁上部に開けられた角穴であり、器具本体１の周方向に所定間隔を離して２個設けられている。
４は器具本体１の底面に所定間隔を離して設けられたガイド片であり、後述する取付金具５を器具本体１の内側又は外側方向に案内するものである。なお、ガイド片４は器具本体１の底面を器具本体１の内方に向かって切り起こし形成されたものである。
【００１２】
５は板バネを折り曲げて形成された取付金具であり、器具本体１の側壁に固定される固定片部５ａ、固定片部５ａに連続して器具本体１の側壁の上下方向に配置された押圧片部５ｂおよび押圧片部５ｂに連続して器具本体１方向にほぼ直角に折り曲げて形成された折曲片部５ｃから構成されている。
固定片部５ａはその上端側が器具本体１の側壁に固定され、下端側が外向フランジ２の近傍から上方に向かって折曲げられ、押圧片部５ｂに連続している。押圧片部５ｂは固定片部５ａの下端部から連続して器具本体１の側壁の下部から上部に亘って配置され、折曲片部５ｃへと連続している。折曲片部５ｃは押圧片部５ｂの上端から連続して形成され、器具本体１の角穴３に挿入されると共に、ガイド片４の間に挿通されている。なお、折曲片部５ｃの先端部は円弧状に形成され、後述するカム８に当接可能に構成されている。６ａ，６ｂ，６ｃ，６ｄは折曲片部５ｃの上面に切り起こし形成された突起であり、折曲片部５ｃの先端側に当たる部位が切り起こされた楔状を成しいてる。
なお、押圧片部５ｂは器具本体１の側壁とほぼ平行になるように折り曲げられているので、折曲片部５ｃが外方に押し出されると、内方に向かって付勢される構造になっている。
【００１３】
７は器具本体１の底面内側に軸９及び軸受１０によって回転可能に設置される円盤状の板体であり、その上面には折曲片部５ｃの先端に接触して折曲片部５ｃを器具本体１の外方へ押し出すカム８が固定されている。１１は板体７の上面周縁部に取り付けられた楔状の突起であり、後述するように埋込型照明器具を天井から取り外す際に機能するものである。
【００１４】
図２は本実施形態に係る埋込型照明器具の平面図、図３は図１に示した埋込型照明器具の一部を断面で示した側面図である。図において、図１又は図６に示したものと同一部分には同一符号が付してある。
以下、図２，図３に基づいて本実施形態に係る埋込型照明器具を天井に取り付ける際の取り付け方法を説明する。まず、図３に示すように、取付金具５の折曲片部５ｃを器具本体１の内部に挿入した状態にして、天井に設けられた取付開口部３２に挿入して、フランジ２と天井板の下面３１ｂとを当接させる。このとき、取付金具５の押圧片部５ｂは器具本体１の側壁に近接しているので、器具本体１の取付開口部３２への挿入には邪魔にならない。
【００１５】
次に、板体７を回転させる。このとき、板体７の上面に取り付けられたカム８の位置が図２の点線で示すごとく８ａ，８ｂ，８ｃ，８ｄに移動し、折曲片部５ｃを器具本体１の外方へ押し出す。カム８によって外方へ押し出される折曲片部５ｃはガイド４に案内されながら外方へ移動する。
【００１６】
図４はカム８が図２に示す８ｄの位置に移動した状態の平面図、図５はこの場合の側面図である。
折曲片部５ｃが外方へ移動することによって、図５に示すように押圧片部５ｂと器具本体１の側面との成す角度が大きくなり、押圧片部５ｂの外側面が取付開口部３２の縁部を押圧することになる。
しかし、この状態においては押圧片部５ｂは上述したようにバネ力に抗しているため、器具本体１側に戻ろうとする。このとき、図５に示すように、折曲片部５ｃの上面に形成された突起６ｂが角穴３の上縁部に係止して、折曲片部５ｃが器具本体１の内方に戻るのを防止して折曲片部５ｃを所定の位置に保持する。
これによって、押圧片部５ｂが取付開口部３２の縁部を押圧した状態が保持され、取付開口部３２の縁部が器具本体１のフランジ２と押圧片部５ｂに挟持されることになり、器具本体１は天井板３１にしっかりと保持される。
【００１７】
このように、本実施形態では器具本体１が天井に取り付けられた状態において、従来例のように取付金具のバネ弾性にだけに依存する構造ではなく、折曲片部５ｃの上面に形成された突起６ｂを角穴３の上縁部に係止させることによって、押圧片部５ｂが取付開口部３２の縁部を押圧した状態を保持するようにしたので、振動などにより天井下部１３とフランジ２の間に隙間が発生することがない。
また、天井板の厚みが変わった場合であっても、ほぼ一定の保持力を維持することができる。
【００１８】
また、折曲片部５ｃを器具本体１の外方へ押し出す手段として、板体７に取り付けたカム８を利用する機構を採用したので、板体７を回転するだけでよく、操作性がよく、埋込型照明器具を天井に取り付ける際の作業効率が向上する。
【００１９】
さらに、突起６ａ〜６ｄを、折曲片部５ｃの先端側を切り起こして形成した楔状の形状にしたので、折曲片部５ｃを器具本体１の外方へ移動する際には、角穴３の上縁部に引っ掛かることなくスムーズに移動させることができる。
【００２０】
さらにまた、折曲片部５ｃの上面に複数の突起６ａ〜６ｄを設けたので、天井板の厚みに応じて折曲片部５ｃの押し出し量の調整が可能である。
【００２１】
なお、上記実施形態においては、器具本体１の周縁全体にフランジ２を設けるようにしたが、周縁の一部に形成するようにしても同等の機能が得られる。
【００２２】
次に、上記のように天井に取り付けられた埋込型照明器具を取り外す方法について説明する。板体７を取り付け時と逆方向に回転させ、板体７の上面に形成された楔状の突起１１を器具本体１の底面と折曲片部５ｃとの隙間に挿入する。これによって、折曲片部５ｃが下方に押し下げられ、折曲片部５ｃの上面に設けられた突起６ｂと角穴３の上縁部との係止が解除される。そうすると、折曲片部５ｃが取付金具５の付勢力により、器具本体１の内方に移動し、押圧片部５ｂが器具本体１に近接して図３の状態になるので、器具本体１を天井開口部３２から下方に抜き取ることができる。
【００２３】
このように本実施形態によれば、埋込型照明器具の取り外しの操作性もよく、取り付けの場合と同様に作業効率が向上する。
【図面の簡単な説明】
【図１】  本発明の一実施形態の組立斜視図である。
【図２】  本実施形態の平面図である。
【図３】  本実施形態の一部を断面で示した側面図である。
【図４】  本実施形態の取付完了時における平面図である。
【図５】  本実施形態の一部を断面で示した取付完了時における側面図である。
【図６】  従来の埋込型照明器具の取付け状態を説明する説明図である。
【符号の説明】
１  照明器具本体、２  外向フランジ、３  角穴、４  ガイド、５  取付金具、６ａ，６ｂ，６ｃ，６ｄ  突起、７  板体、８  カム、１１  楔状の突起。
【図１】
0003700092.tif 000002
【図２】
0003700092.tif 000003
【図３】
0003700092.tif 000004
【図４】
0003700092.tif 000005
【図５】
0003700092.tif 000006
【図６】
0003700092.tif 000007